(57)【要約】【課題】タバコの煙が隣側へ流れないように確実に分煙でき、しかもその煙を遊技者の周囲から迅速に排煙でき、さらに天井空気清浄機が吹き出す空気が遊技者に直接当たらないようにして遊技場内を温度差の少ない快適な環境にできる低コストの空気清浄装置を提供する。【解決手段】遊技場内の天井に吸込口を有し、同吸込口から吸引した空気からゴミやタバコの煙成分を除去する浄化部を有し、同浄化部で浄化された空気を遊技場内へ戻す天井空気清浄機を有し、島１の隣接する遊技機間の境界位置に正面が開放された縦長の箱状の収納体３を取り付け、正面と左右側面に取込口４１を備え且つ背面が開放されて取込口４１と連通する空気取込体４を収納体３に出し入れ可能に嵌挿し、収納体３の後方上端に排気口３２を形成し、排気口３２に接続した排気管５２の管端に取り込まれた空気を天井に向けて排気する送風機５を取り付ける。【選択図】図６
2016064046.tif 000002
【特許請求の範囲】
【請求項１】
遊技場内の天井近くに吸込口を有し、同吸込口から吸引した空気からゴミやタバコの煙成分を除去する浄化部を有し、同浄化部で浄化された空気を遊技場内へ戻す天井空気清浄機を天井近くに設置し、遊技機が列設された島の隣接する遊技機間の境界位置に正面が開放された縦長の箱状の収納体を取り付け、左右側面又は正面と左右側面に空気の取込口を備え且つ背面が開放されて取込口と連通する構造の縦長の筒状の空気取込体を前記収納体に出し入れ可能に嵌挿し、前記収納体の後方上端に排気口を形成し、同排気口に前記収納体の取込口から取り込まれた空気を上方の天井に向けて排気する送風機を直接取り付けるか又は同排気口に接続した排気管の管端又は管の途中に前記収納体の取込口から取り込まれた空気を排気する送風機を取り付け、空気取込体を前方へ引き出して遊技機の前方の空気を取り込みやすくした、遊技場の空気清浄装置。
【請求項２】
前後が開放されて連通する縦長の筒体構造の中空のスライダーを収納体に出し入れ可能に嵌挿し、同スライダーに空気取込体を出し入れ可能に嵌挿し、空気取込体を２段に前方へ引き出して空気を取り込めるようにした、請求項１記載の遊技場の空気清浄装置。
【請求項３】
空気取込体の内部の通気路の途中に取り込んだ空気を浄化するフィルターを脱着可能に取り付けた、請求項１又は２記載の遊技場の空気清浄装置。
【請求項４】
フィルターを斜めに取り付けた、請求項３記載の遊技場の空気清浄装置。
【請求項５】
島の背面同士が向かい合う収納体の排気口同士を排気管で接続し、同排気管を送風機を有する共通排気管に接続した、請求項１〜４いずれか記載の遊技場の空気清浄装置。
【請求項６】
島の同列の各収納体の排気口同士を排気管で接続し、同排気管を送風機を有する共通排気管に接続した、請求項１〜４いずれか記載の遊技場の空気清浄装置。
【請求項７】
島の２列の各収納体の排気口の同列同士を排気管でそれぞれ接続し、同２本の排気管の途中を送風機を有する共通排気管に接続した、請求項１〜４いずれか記載の遊技場の空気清浄装置。
【請求項８】
送風機が吹き出す空気に帯電イオン・オゾン・除菌剤又は消臭剤の粒子を送り込む除菌消臭剤送り込み装置を設けた、請求項１〜７いずれか記載の遊技場の空気清浄装置。
【発明の詳細な説明】
【技術分野】
【０００１】
本発明は、遊技場に設けられる空気清浄装置に関する。
【背景技術】
【０００２】
従来、複数の遊技機が列設された遊技場の島において、遊技機間の境界位置にタバコの煙が隣側へ流れないようにする分煙ボードを取り付けたものが知られている（例えば特許文献１参照）。しかし、天井空気清浄機の吸込口まで距離があるから、煙が直ぐに吸い込まれずに遊技機の周辺に長く滞留することがあり、喫煙しない遊技者が不快に感じることがあった。
【０００３】
この問題に対し、煙を遊技者の周囲から迅速に排煙する技術が特許文献２で提案されている。この技術は、遊技機間の境界位置に吸込口と吹出口を開口し、吸込口から吸い込んだ煙を含む空気を浄化して吹出口から吹き出す空気浄化ユニットを遊技機間の位置に内蔵している。しかしながら、境界位置全てに空気浄化ユニットを設ける必要があり、コストがかかっていた。また、煙は吸込口に吸い込まれるまで隣側へ流れることがあり、分煙は不十分であった。
【０００４】
一方、天井空気清浄機は温度・湿度の調整機能も一般に有しているものであり、その吹出口も天井に有するから、その吹出口から出た下向きの流れが強く、空気が遊技者に吹き付けられる状態となっていた。また、冷房時に冷風が直接当たることで肌寒く感じて温度を低く設定できず、同じ遊技場内で寒い場所と暑い場所が発生することがあった。又、遊技者の位置で発生するタバコの煙を天井空気清浄機の吸込口までの送る遊技場の垂直の距離が長いため、天井空気清浄機の汚れた空気吸引力は弱く、天井空気清浄機の空気浄化能力が低いものとなっていた。これを解消するため、天井空気清浄機の吸引力を強めると、その空気吹出速度も高くなって、前記の欠点の問題が大きくなる。
【先行技術文献】
【特許文献】
【０００５】
【特許文献１】特開２０１３−１７６５５４号公報
【特許文献２】特開２００８−２６４０５９号公報
【発明の概要】
【発明が解決しようとする課題】
【０００６】
本発明が解決しようとする課題は、従来のこれらの問題点を解消し、タバコの煙が隣側へ流れないように確実に分煙でき、しかもその煙を遊技者の周囲から迅速に排煙でき、さらに天井空気清浄機の吸込力・吹出力を強めずに浄化でき、よってその吹き出す空気が遊技者に直接当たらないようにして遊技場内を温度差の少ない快適な環境にできる低コストの遊技場の空気清浄装置を提供することにある。
【課題を解決するための手段】
【０００７】
かかる課題を解決した本発明の構成は、
１）  遊技場内の天井近くに吸込口を有し、同吸込口から吸引した空気からゴミやタバコの煙成分を除去する浄化部を有し、同浄化部で浄化された空気を遊技場内へ戻す天井空気清浄機を天井近くに設置し、遊技機が列設された島の隣接する遊技機間の境界位置に正面が開放された縦長の箱状の収納体を取り付け、左右側面又は正面と左右側面に空気の取込口を備え且つ背面が開放されて取込口と連通する構造の縦長の筒状の空気取込体を前記収納体に出し入れ可能に嵌挿し、前記収納体の後方上端に排気口を形成し、同排気口に前記収納体の取込口から取り込まれた空気を上方の天井に向けて排気する送風機を直接取り付けるか又は同排気口に接続した排気管の管端又は管の途中に前記収納体の取込口から取り込まれた空気を排気する送風機を取り付け、空気取込体を前方へ引き出して遊技機の前方の空気を取り込みやすくした、遊技場の空気清浄装置
２）  前後が開放されて連通する縦長の筒体構造の中空のスライダーを収納体に出し入れ可能に嵌挿し、同スライダーに空気取込体を出し入れ可能に嵌挿し、空気取込体を２段に前方へ引き出して空気を取り込めるようにした、前記１）記載の遊技場の空気清浄装置
３）  空気取込体の内部の通気路の途中に取り込んだ空気を浄化するフィルターを脱着可能に取り付けた、前記１）又は２）記載の遊技場の空気清浄装置
４）  フィルターを斜めに取り付けた、前記３）記載の遊技場の空気清浄装置
５）  島の背面同士が向かい合う収納体の排気口同士を排気管で接続し、同排気管を送風機を有する共通排気管に接続した、前記１）〜４）いずれか記載の遊技場の空気清浄装置
６）  島の同列の各収納体の排気口同士を排気管で接続し、同排気管を送風機を有する共通排気管に接続した、前記１）〜４）いずれか記載の遊技場の空気清浄装置
７）  島の２列の各収納体の排気口の同列同士を排気管でそれぞれ接続し、同２本の排気管の途中を送風機を有する共通排気管に接続した、前記１）〜４）いずれか記載の遊技場の空気清浄装置
８）  送風機が吹き出す空気に帯電イオン・オゾン・除菌剤又は消臭剤の粒子を送り込む除菌消臭剤送り込み装置を設けた、前記１）〜７）いずれか記載の遊技場の空気清浄装置
にある。
【発明の効果】
【０００８】
本発明の前記１）記載の構成によれば、遊技者が喫煙して煙が出ると、その煙は空気取込体で分煙されるとともに、煙を含む空気が空気取込体の取込口から取り込まれ、送風機によって島の上方へ排気される。したがって、煙が隣側へ流れないように空気取込体で分煙でき、しかもその煙が滞留することなく、遊技者の周囲から迅速に排煙させることができる。また、従来技術の空気浄化ユニットと比較して簡易な構造で、低コストで実施できる。また、送風機が上方へ排気することで天井空気清浄機から吹き出した空気が島の周囲に迂回するように下方へ流れて循環するようになり、その空気の循環で場所による温度差がなくなり、しかも天井空気清浄機から吹き出した空気が遊技者に直接当たることがなくなって快適な環境となる。また、遊技機の整備や新台への入れ替え時は、空気取込体を収納体に収納することで、空気取込体が邪魔にならないように且つ遊技機を傷つけないようにして作業できる。
しかも、各遊技機の空間の汚れた空気は各送風機によって上方の天井に向けて送られることとなり、天井近くに設置される天井空気清浄機の吸引力の吸引性能は送風機からの送風力の分だけ能力を低いものでよく、逆にその分天井空気清浄機の吹出速度も低く済み、強い空気吹出による遊技者の不快感を抑えることができる。更に、全体的に島上方への上昇気流を発生し、天井空気清浄機の吹出しは島上方からの吹上げの空気流が強くあることで、遊技場の通路方向になることになり、遊技場のゆるやかな大きな空気循環を生起する。
【０００９】
本発明の前記２）記載の構成によれば、スライダーによって空気取込体の張り出し量が増加し、分煙できる領域をより広く取ることができる。
【００１０】
本発明の前記３）記載の構成によれば、空気取込体に取り込まれた空気がフィルターで浄化された後に天井空気清浄機に吸い込まれるから、天井空気清浄機の汚れが軽減される。特に、前記４）記載の構成によれば、空気取込体の幅が狭くてもフィルターの面積を広く確保することができ、効率的に浄化できる。
【００１１】
本発明の前記５）〜７）記載の構成によれば、共通の送風機で複数の空気取込体から空気を取り込んで排気することができ、より低コストで実施できる。
【００１２】
本発明の前記８）記載の構成によれば、送風機が排気する空気に帯電イオン・オゾン・除菌剤又は消臭剤の粒子を送り込むことで、島の送風機と天井空気清浄機による空気の循環で遊技場内をより快適な環境にできる。
【図面の簡単な説明】
【００１３】
【図１】実施例の空気取込体と収納体の取り付け状態を示す斜視図である。
【図２】実施例の空気取込体と収納体の分解斜視図である。
【図３】実施例の空気取込体の断面図である。
【図４】実施例の収納体の取り付けを示す斜視図である。
【図５】実施例の空気取込体のスライドを示す説明図である。
【図６】実施例の送風機の取り付け状態を示す説明図である。
【図７】実施例の島における空気の流れを示す説明図である。
【図８】実施例の空気取込体の収納状態を示す斜視図である。
【図９】実施例の他の例の空気取込体と収納体の分解斜視図である。
【図１０】実施例の他の例の空気取込体とスライダーのスライドを示す説明図である。
【図１１】実施例の他の例の送風機の取り付け形態を示す説明図である。
【図１２】実施例の他の例の送風機の取り付け形態を示す説明図である。
【図１３】実施例の他の例の送風機の斜視図である。
【発明を実施するための形態】
【００１４】
本発明の空気取込体の取込口は、正面と左右側面に設けられるのが一般的であるが、左右側面だけでも良く、さらに上面や下面に設けても良い。天井空気清浄機の浄化部としては、フィルター、二酸化チタン、帯電イオンの放出、吸臭材、脱臭材、紫外線ランプの照射等によって浄化するものが用いられる。スライダーは、１体だけでなく、２体以上使用して張り出し量をより増加できる多段式の構造にしても良い。除菌消臭剤送り込み装置としては、プラズマ放電によるイオン発生器や帯電微粒子水発生装置、オゾン・除菌剤・消臭剤等の粒子を送り込む装置などの公知の機器を使用することができる。
【００１５】
以下、本発明を実施するための形態を実施例と図面に基づいて具体的に説明する。なお、本発明は以下の実施例に限定されるものではなく、様々な組み合わせや変形が可能である。
【実施例】
【００１６】
図１〜８に本実施例の空気清浄装置を示す。図中、１は島、２は遊技機、３は収納体、４は空気取込体、５は送風機、６は天井空気清浄機で、その吹出方向は島の通路方向に主に空気が流れるようにしている。そして、空気温度・湿度の調整機能も有する。Ｈは遊技者である。
【００１７】
収納体３は、正面が開放された縦長の箱状で、空気取込体４内の空気を取り込むための開口部３１と、取り込まれた空気を上方へ排気するための排気口３２と、後述の空気取込体４を取り付ける際にその脚部４５を通過させるための切欠き３３と、脚部４５と接して空気取込体４のスライドを規制するためのストッパー３４及び取付ネジ３４ａと、島１に取り付けるための取付片３５とで構成され、図４（ａ），（ｂ）に示すように、遊技機２間の境界位置の空隙に差し込み、空隙の上方に備えた取付具１１とテーブル２１に対して取付ネジ３５ａで取り付けられている。
【００１８】
空気取込体４は、奥行きが２０ｃｍ程の背面が開放された縦長で、正面及び側面から空気を取り込むための取込口４１と、取り込んだ空気を浄化するためのフィルター４２と、フィルター４２を支持するためのフィルター受け４３と、フィルター４２を交換するための脱着可能なフィルターカバー４４及び取付ネジ４４ａと、スライド時に収納体３の底面を摺動するための脚部４５と、取っ手４６と、収納時に収納体３の排気口３２と連通させる通気部４７とで構成されている。図５（ａ），（ｂ）に示すように、取っ手４６を把持して手前へ引き出すと、脚部４５が収納体３の底面を摺動してスライドし、脚部４５がストッパー３４に接すると引き出された状態が保持されるようになっている。
【００１９】
送風機５は、図６に示すように、島１の上面位置に取付具５１で取り付けられ、背面同士が向かい合う収納体３の排気口３２と排気管５２でそれぞれ接続されている。送風機５は上方へ吹き出す向きに取り付けられている。この送風機５を作動させると、空気取込体４で取り込まれた空気が収納体３の内部と排気口３２と排気管５２を通じて島１の上方へ排気されるようになっている。
【００２０】
天井空気清浄機６は天井に設備され、吹出口と吸込口とを有し、吸込口から吸い込まれた空気からゴミやタバコの煙成分を除去する浄化部を有し、浄化部で浄化された空気を吹出口から遊技場内へ戻す天井空気清浄機を有している（内部構造の図示は省略）。
【００２１】
遊技者Ｈが喫煙して煙が出ると、その煙は空気取込体４で分煙され、隣側へ流れることはない。そして、その煙を含む空気は空気取込体４の取込口４１から取り込まれ、フィルター４２で浄化されて島１の上方へ排気される。したがって、空気取込体４が分煙ボードとなって煙が隣側へ流れないように確実に分煙でき、しかもその煙を滞留させることなく、遊技者Ｈの周囲から迅速に排煙できるものとなっている。また、従来技術の空気浄化ユニットと比較して簡易な構造であり、低コストで実施できるものとなっている。
【００２２】
また、図７に示すように、島１の送風機５が空気を上方へ吹き出すことで、天井空気清浄機６の吹出口から出た空気は下へ降りられなくなり、島１のない大きな通路まで天井に沿って横方向へ流れて降下する。その降下した空気は島１と島１の間の遊技者Ｈがいる通路の床に流れ、それが島１の空気取込体４に取り込まれて上方へ排気され、循環するような大きな流れが発生する。
【００２３】
したがって、送風機５で遊技場全体の空気の循環がうまくなされ、しかも攪拌されて場所による温度差がなくなり、天井空気清浄機６の温度設定値を従来より冷房時２〜３℃高め（暖房時は２〜３℃低め）にしても冷暖房効果を十分に出すことができ、省エネルギーとなる。また、天井空気清浄機６から吹き出した空気は横方向へ流れて遊技者Ｈに直接吹き付けられることがなくなり、快適な環境となる。
【００２４】
また、空気取込体４に取り込まれた空気は、フィルター４２で浄化された後に排気され、天井空気清浄機６の汚れが軽減される。フィルター４２の交換は、空気取込体４を引き出し、取付ネジ４４ａを緩めてフィルターカバー４４を取り外すことで容易に行える。フィルター４２は、図３に示すように、平面視で斜めに取り付けられているから、空気取込体４の幅が狭くてもフィルター４２の面積を広く確保することができ、効率的に浄化できるものとなっている。
【００２５】
遊技機２の整備や新台への入れ替え時は、図８に示すように、空気取込体４を収納体３に収納することによって、空気取込体４が邪魔にならないように且つ遊技機２を傷つけないようにして作業できる。
【００２６】
なお、空気取込体４は収納体３に収納した状態でも、正面側の取込口４１から取り込まれて通気部４７を通じて排気口３２へ流れる構造となっており、分煙を必要としない場合（例えば隣り合う遊技者同士が会話しながら遊技する場合など）は、遊技者自身が任意で空気取込体４を収納体３に収納して遊技することもできる。
【００２７】
図９，１０に示すのは、収納体３と空気取込体４の間にスライダー７を設けることで、実施例と比較して空気取込体４の張り出し量を増加できるようにした例である。スライダー７は、前後が開放されて連通する構造で、スライド時に収納体３の底面を摺動するための脚部７１と、空気取込体４を取り付ける際にその脚部４５を通過させるための切欠き７２と、脚部４５と接して空気取込体４のスライドを規制するためのストッパー７３及び取付ネジ７３ａと、収納時に空気取込体４の通気部４７及び収納体３の排気口３２と連通させる通気部７４とで構成されている。
【００２８】
図１０（ａ）に示すように、収納状態では、空気取込体４の脚部４５とスライダー７の脚部７１がいずれも収納体３の背面に接して収納状態が保持される。この状態でも空気取込体４の正面側から空気を取り込むことができる。図１０（ｂ）に示すように、空気取込体４のみ引き出した状態では、その脚部４５がスライダー７のストッパー７３に接して保持される。図１０（ｃ）に示すように、全引き出し状態では、スライダー７の脚部７１が収納体３のストッパー３４に接して全引き出しの状態が保持される。その他、符号、構成、作用効果は実施例と同じである。
【００２９】
図１１，１２に示すのは、送風機５の取り付け形態の他の例である。図１１（ａ）は、排気口３２に送風機５を直接取り付けた例である。図１１（ｂ）は、排気管５２の途中に送風機５を取り付けた例である。図１１（ｃ）は、背面同士が向かい合う収納体３の排気口３２同士を排気管５２で接続し、その排気管５２の途中と送風機５とを共通排気管５３で接続した例である。図１２は、島１の２列の各収納体３の排気口３２の同列同士を排気管５２でそれぞれ接続し、２本の排気管５２の途中と１体の送風機５とを共通排気管５３でそれぞれ接続した例である。その他、符号、構成、作用効果は実施例と同じである。
【００３０】
図１３に示すのは、送風機５にマイナスイオン発生器８（本発明の除菌消臭剤送り込み装置）を設けた例である。この例では、ケース５４の側面にマイナスイオン発生器８が取り付けられ、その吹出口８１がケース５４の上面に形成されている。図中、５４ａは吹出口で、円形の他、四角形やスリット状でも良い。これによって、送風機５から排気される浄化済みの空気にマイナスに帯電したイオンが放出され、島１の送風機５と天井空気清浄機６による空気の循環で遊技場内をより快適な環境にできるようになっている。その他、符号、構成、作用効果は実施例と同じである。
【産業上の利用可能性】
【００３１】
本発明の技術は、複数の遊技機やメダル貸し機が列設された島のある遊技場に利用される。
【符号の説明】
【００３２】
１      島
１１    取付具
２      遊技機
２１    テーブル
３      収納体
３１    開口部
３２    排気口
３３    切欠き
３４    ストッパー
３４ａ  取付ネジ
３５    取付片
３５ａ  取付ネジ
４      空気取込体
４１    取込口
４２    フィルター
４３    フィルター受け
４４    フィルターカバー
４４ａ  取付ネジ
４５    脚部
４６    取っ手
４７    通気部
５      送風機
５１    取付具
５２    排気管
５３    共通排気管
５４    ケース
５４ａ  吹出口
６      天井空気清浄機
７      スライダー
７１    脚部
７２    切欠き
７３    ストッパー
７３ａ  取付ネジ
７４    通気部
８      マイナスイオン発生器
８１    吹出口
Ｈ      遊技者
【図１】
2016064046.tif 000003
【図２】
2016064046.tif 000004
【図３】
2016064046.tif 000005
【図４】
2016064046.tif 000006
【図５】
2016064046.tif 000007
【図６】
2016064046.tif 000008
【図７】
2016064046.tif 000009
【図８】
2016064046.tif 000010
【図９】
2016064046.tif 000011
【図１０】
2016064046.tif 000012
【図１１】
2016064046.tif 000013
【図１２】
2016064046.tif 000014
【図１３】
2016064046.tif 000015